(57)【要約】【課題】袖の通し難い使用者に、脱ぎ着し易く、お洒落な衣服を提供する。【解決手段】前身頃２を開け閉めすることで脱ぎ着できる衣服１において、胸前４０から袖３の前腕部分にかけて連続して破断線５ａで破断しておき、面ファスナー６３，６４やファスナー８２で連結する。これによって、体の前からの作業だけで脱ぎ着でき、また肩１５から胸前４０の生地が肩１５の上から前に垂下がり、五十肩など、肩が動かし難く、袖３の通し難い使用者が、脱ぎ着し易い。さらに、袖３における破断（５４ａ）を袖口３１の手前迄とし、かつ該袖口３１は完全な筒状ではなく、背面側では該袖口３１から切れ目を入れておき、面ファスナーで連結・開放可能にしておく。したがって、胸前４０からの破断線５ａの終点を固定して袖口３１をばらけ難くしつつ、袖口３１の開き幅を大きくでき、指にギブスを嵌めた使用者などが、袖を通し易くなる。【選択図】図３
2020111870.tif 000002
【特許請求の範囲】
【請求項１】
前身頃を開け閉めすることで脱ぎ着できる衣服において、
胸前から前腕部分にかけて連続して破断され、
その破断部分間を連結・開放可能な係止部材を備え、
前記の破断は、筒状の袖口の手前迄行われ、該袖口の背面側では、該袖口は切り開かれ、前記係止部材で連結・開放可能であることを特徴とする衣服。
【請求項２】
前記の破断は、前記前身頃から左右の脇を結ぶ線と略平行に延び、鎖骨の下方で一旦立上がって再び横方向に延びて、上腕骨付け根に向かって行われることを特徴とする請求項１記載の衣服。
【請求項３】
前記係止部材は、襟元下、前記襟元下の破断線より下側部分の上部、前記鎖骨の下部付近、および上腕骨付け根付近の少なくとも４箇所に設けられ、この順で係止されることを特徴とする請求項２記載の衣服。
【発明の詳細な説明】
【技術分野】
【０００１】
本発明は、シャツなどの前身頃を開け閉めすることで脱ぎ着できる衣服に関し、特に肩が上がらないような腕を動かし難い使用者が脱いだり着たりし易くすることができる衣服に関する。
【背景技術】
【０００２】
五十肩など、肩が動かし難い使用者にとって、衣服の脱ぎ着は負担が大きい。そこで、寝たきりの介護用であるが、脱ぎ着し易い衣服が、特許文献１で提案されている。図５は、その衣服９の着用状態での正面図であり、図６は着用前の状態の正面図である。この衣服９では、胴部９１の前身頃が面ファスナー９２で開け閉め自在であるとともに、首元９３から袖９４の全長に亘り、面ファスナー９５で開け閉め自在となっている。これによって、ベッド上に図６のように開け、被介護者に転がって仰向けになってもらい、図５のように面ファスナー９２，９５を閉じることで、着られるようになっている。
【０００３】
この衣服９は、被介護者の腕から胴に対応する部分まで、総て切り開いた状態で脱ぎ着できるようになっており、被介護者および介護者の負担が軽く、前記の寝たきりの被介護者を、楽に着せ替えできるようになっている。さらに注目すべきは、肩の頂部の線９６で切り開くのでは無く、前記の首元９３から、胸前９７および前腕９８を通って切り開かれていることで、介護者が、被介護者の前からのみの作業で、脱ぎ着させられることである。
【先行技術文献】
【特許文献】
【０００４】
【特許文献１】特開２００４−２８５５４３号公報
【発明の概要】
【発明が解決しようとする課題】
【０００５】
上述の従来技術は、トップス（シャツ）、ボトムス（ズボン）を単純に前後に分割できるようにして、その分割部分（破断線）を面ファスナーで貼り合わせている。したがって、介護者が、体が不自由な被介護者の脱ぎ着をさせ易いものの、前記の肩が動かし難い使用者のように、自分で或る程度の脱ぎ着ができる使用者にとっては、１人で、充分に脱ぎ着がし易いとは言い切れないところがある。また、介護着、すなわち寝間着であり、意匠的に外着には使えないという問題がある。
【０００６】
本発明の目的は、前身頃を開け閉めすることで脱ぎ着できる衣服において、肩が動かし難い使用者にとって１人で脱ぎ着し易く、また外着に使用可能な意匠的に好ましい衣服を提供することである。
【課題を解決するための手段】
【０００７】
本発明の衣服は、前身頃を開け閉めすることで脱ぎ着できる衣服において、胸前から前腕部分にかけて連続して破断され、その破断部分間を連結・開放可能な係止部材を備え、前記の破断は、筒状の袖口の手前迄行われ、該袖口の背面側では、該袖口は切り開かれ、前記係止部材で連結・開放可能であることを特徴とする。
【０００８】
上記の構成によれば、前身頃を開け閉めすることで脱ぎ着できる衣服において、胸前から横に、袖の前腕部分にかけて連続して破断しておき、その破断部分間を、面ファスナーのような係止部材によって、連結・開放可能とする。したがって、五十肩など、肩が動かし難く、そのため袖の通し難い使用者に、脱ぎ着し易い衣服を実現することができる。また、破断が肩の頂部から体側にかけてではなく、胸前から横に、袖の前腕部分にかけて、連続して行われるので、着る際には、肩から胸前の生地が、肩の上から前に垂下がり、背中側の生地がずり落ちないように仮固定されることになり、より着易く、また外着にもなるお洒落な衣服を実現することができる。
【０００９】
さらに、衣服が特に長袖の場合に、袖の全部に破断線を入れてしまうと、袖口がばらけて、前記係止部材でも留め難いので、破断を袖口の手前迄とし、該袖口を筒状に連結形成しておくことで、前記のばらけが無くなり、破断部分を係止部材で留め易くなるとともに、袖の通し難い使用者でも、手首を通すことができる。好ましくは、該袖口に、ニット素材などの伸縮性の素材を使用することで、より手首を通し易くなる。
【００１０】
またその場合、袖口を完全な筒状ではなく、胸前からの破断線は前腕側を通るのに対して、袖口の背面側では、該袖口から切れ目を入れておき、前記係止部材で連結・開放可能にしておくので、前記胸前からの破断線の終点を固定して袖口をばらけ難くしつつも、該袖口の開き幅を大きくすることができ、指にギブスを嵌めた使用者などが、袖を通し易くなる。
【００１１】
また、本発明の衣服では、前記の破断は、前記前身頃から左右の脇を結ぶ線と略平行に延び、鎖骨の下方で一旦立上がって再び横方向に延びて、上腕骨付け根に向かって行われることを特徴とする。
【００１２】
上記の構成によれば、破断線を単純に横方向に延ばし、それらの部分を単純に繋いで、前記の垂下がる部分を形成してもよいが、直線（前身頃から鎖骨の下方までの部分および鎖骨の下方で立上がる部分）と、曲線（前記の２つの直線を接続する部分）とを組合わせることで、形状の判別がし易く、生地の位置合わせを行い易くすることができる。加えて、終点を上腕骨付け根にし、鎖骨の下部を通るようにする。詳しくは、前記前身頃から左右の脇の下を結ぶ線と略平行に延び、鎖骨の下方で一旦立上がり、該鎖骨の下部で曲がって、再び横方向に延びて前記上腕骨付け根に向かうようにする。
【００１３】
したがって、鎖骨の下部を通ることで、該鎖骨の下部は、上下方向および左右方向の動き（生地のズレ、テンション）が小さく、同様に上腕骨付け根も、腕の支点で、動きが小さい。これによって、面ファスナーなどの係止部材を外れ難く、つまり脱げ難くすることができる。また、鎖骨の下部から外側の部分を引き上げると、垂下がり易い脇の下部分を容易に引き上げることができる。こうして、１人で容易に脱ぎ着できるとともに、外着にもなるお洒落な衣服を実現することができる。
【００１４】
さらにまた、本発明の衣服では、前記係止部材は、襟元下、前記襟元下の破断線より下側部分の上部、前記鎖骨の下部付近、および上腕骨付け根付近の少なくとも４箇所に設けられ、この順で係止されることを特徴とする。
【００１５】
上記の構成によれば、上述のような単純な横一線ではなく、鎖骨の下方で一旦立上がり、再び横方向に延びるような格別の破断線であるので、係止部材も、最小限は上記の４箇所で係止を行うことができ、またこの順で留めることで、容易に、係止する、すなわち着ることができる。
【００１６】
好ましくは、前記の破断は、左または右の片側だけ行われることを特徴とする。
【００１７】
上記の構成によれば、破断は、左または右の片側だけで、反対側は破断しない。
【００１８】
したがって、その破断側の肩だけが上がり難い使用者が着用することで、襟元から、破断線より下側の胸部から腹部に掛かる前身頃が全長に亘り、非常に合せ易くなり、着易くすることができる。
【発明の効果】
【００１９】
本発明の衣服は、以上のように、前身頃を開け閉めすることで脱ぎ着できる衣服において、胸前から横に、袖の前腕部分にかけて連続して破断しておき、その破断部分間を、面ファスナーのような係止部材によって、連結・開放可能とすることで、体の前からの作業だけで脱ぎ着でき、また肩から胸前の生地が肩の上から前に垂下がり、五十肩など、肩が動かし難く、そのため袖の通し難い使用者に、脱ぎ着し易い衣服を実現することができる。
【００２０】
さらに、破断を袖口の手前迄とし、該袖口を筒状に連結形成しておくことで、該袖口のばらけが無くなり、破断部分を係止部材で留め易くなるとともに、袖の通し難い使用者でも、手首を通すことができる。またその場合、袖口を完全な筒状ではなく、背面側では該袖口から切れ目を入れて破断しておき、係止部材で連結・開放可能にしておくので、前記胸前からの破断線の終点を固定して袖口をばらけ難くしつつも、該袖口の開き幅を大きくすることができ、指にギブスを嵌めた使用者などが、袖を通し易くなる。
【図面の簡単な説明】
【００２１】
【図１】本発明の実施の一形態に係る衣服の着用状態での正面図である。
【図２】図１で示す衣服に用いられる肩載せ部材の斜視図である。
【図３】本発明の実施の他の形態に係る衣服の着用状態での正面図である。
【図４】図３の他の実施例について、袖口付近を裏側から見て拡大して示す図である。
【図５】従来技術の衣服の着用状態での正面図である。
【図６】図５で示す衣服の着用前の正面図である。
【発明を実施するための形態】
【００２２】
（実施の形態１）
図１は、本発明の実施の一形態に係る衣服１の着用状態での正面図である。なお、着用している使用者は省略している。この衣服１は、シャツを模式的に示しているが、本発明は、前身頃２を開け閉めすることで脱ぎ着できる衣服であれば、肌着などの下着、このシャツなどの中衣・中着或いは上衣・上着のいずれであってもよい。また、袖３の長さも、長袖と半袖との何れであってもよいが、より袖を通し難い長袖の方が、本発明が効果的である。
【００２３】
先ず、この衣服１は、胴部４の胸前４０から袖３の全長に亘り、破断線５によって、連続して破断されており、破断部分間を、係止部材である複数の面ファースナー６１〜６９（以下、総称する際は、参照符号６で示す）で連結・開放可能とすることで、使用者が首や袖を通したりせず、纏うようにして、脱ぎ着できるようになっている。したがって、五十肩など、肩が動かし難く、そのため袖の通し難い使用者に、脱ぎ着し易い衣服となっている。
【００２４】
注目すべきは、その破断線５は、第１〜第４の部分５１〜５４によって構成されることである。第１の部分５１は、前身頃２において、襟元１１の下の面ファースナー６１の下の位置を基点として、左右の脇の下１２を結ぶ線５０にほぼ沿って（平行に）延びて形成される。この第１の部分５１の終端は、鎖骨１３の下方の位置であり、該第１の部分５１に連なり、その終端位置から立上がり、鎖骨１３の直下付近の位置までが、第２の部分５２となる。この第２の部分５２に連なり、前記鎖骨１３の直下付近の位置から横方向に延びて、上腕骨の付け根１４付近に向かって、第３の部分５３となる。この第３の部分５３に連なり、袖３の前腕側を袖口３１まで延びて、第４の部分５４となる。第３の部分５３が、水平近くになるか、傾斜を有するかは、鎖骨１３の直下の位置と上腕骨の付け根１４の位置との高さの違いによるもので、なで肩か怒り肩かの使用者の体型によるところが多い。
【００２５】
このように構成することで、本実施形態の衣服１では、肩１５の頂部から体側３２にかけて破断するのではなく、胴体４の部分では、破断線５の第１の部分５１が、大略的に左右の脇の下１２を結ぶ線５０と略平行に破断するので、使用者が着る際には、肩１５から胸前４０の生地４１が、肩１５の上から前に垂下がり、背中側の生地がずり落ちないように仮固定されることになり、より着易くなる。
【００２６】
さらに、本実施形態の衣服１では、破断線５を、第１の部分５１の延長で、単純に横方向に延ばしてもよいが、直線（第１の部分５１および第２の部分５２）と、曲線（前記の２つの直線を接続する部分５５）とを組合わせている。さらに、もう１箇所、第２の部分５２から第３の部分５３の部分への曲線５６を有する。これらによって、使用者は、切り開かれた生地における各パーツの形状の判別がし易く、その位置合わせを行い易くすることができる。
【００２７】
加えて、横方向に延びる第３の部分５３の終点を上腕骨の付け根１４付近にし、鎖骨１３の直下付近を通るように、該鎖骨１３の下方で一旦立上がる前記第２の部分５２を設けている。ここで、該鎖骨１３の下部は、上下方向および左右方向の動き（生地のズレ、テンション）が小さく、同様に上腕骨の付け根１４も、腕の支点で、動きが小さい。これによって、面ファスナー６３，６４を外れ難く、つまり脱げ難くすることができる。また、鎖骨１３の下部から外側の部分４２を引き上げると、垂下がり易い脇の下の部分４３を容易に引き上げることができる。こうして、１人で容易に脱ぎ着できるとともに、外着にもなるお洒落な衣服を実現することができる。
【００２８】
また、本実施形態の衣服１では、破断線５が、単純な横一線ではなく、前記の第１〜第４の部分５１〜５４によって構成され、特に第２の部分５２が鎖骨１３の下方で一旦立上がり、第３の部分５３で再び横方向に延びるような格別の破断線であることに対応して、面ファスナー６は、襟元１１の下の面ファスナー６１、破断線５（５１）より下側の部分４４の上部の面ファスナー６２、鎖骨１３の下部付近の面ファスナー６３、および上腕骨の付け根１４付近の面ファスナー６４の少なくとも４箇所に設けられ、この順で係止される。したがって、面ファスナー６１〜６４をこの順で留めることで、容易に、係止する、すなわち着ることができる。
【００２９】
残余の、前身頃２上に配列される面ファスナー６５、第１の部分５１上に配列される面ファスナー６６、第２の部分５２上に配列される面ファスナー６７、第３の部分５３上に配列される面ファスナー６８、および第４の部分５４上に配列される面ファスナー６９を留めてゆく順序は、任意である。図１のように多数の面ファスナー６を使用する場合、仮止め用と、本固定用とで、係合力や面積を変化するようにしてもよい。たとえば、前記の破断線５の始端部分や変曲部分に設けられ、始めに留めてゆく面ファスナー６１〜６４を仮止め用とし、詳細な位置合わせを行いながら、残余の面ファスナー６５〜６９で本固定を行うということである。その仮止めの場合、面ファスナー６１〜６４に代えて、磁気吸着を行う磁石釦などが用いられてもよい。そうすることで、ラフな位置合わせでも、磁気吸着によって、破断線５を正確に位置合わせして、該破断線５の両側を係止することができる。
【００３０】
さらにまた、本実施形態の衣服１では、破断線５において、袖３の第４の部分５４を、上述のように前腕側に設けるのであるが、格別の軌跡（切断線）を採用している。詳しくは、上述のように、動きが少ない上腕骨の付け根１４付近を基点として、動きの大きい上腕二頭筋１８を避けるように、部分５４１で、一旦体側に向き、その後、反対に、これも動きの大きい肘１６を避けるように、部分５４２で内側に回り込み、さらに前腕中央付近の部分５４３で外側に振れた後、終点は手首１７の部分５４４で、掌中央当りに戻る。このように筋肉の付き方等の使用者の体型を考慮して、動いた際にずれの少ない所を通るように破断線を蛇行させてゆくことで、使用者が腕を動かし易くなるとともに、切断部分に加わる力（生地のズレ、テンション）も小さくし、面ファスナー６４，６９を外れ難くすることができる。
【００３１】
なお、破断線５によるこの第４の部分５４の各部分５４１〜５４４の格別の軌跡は、長い袖３に該第４の部分５４が形成されているだけの衣服、つまり第１〜第３の部分５１〜５３の形成されていない衣服や、前身頃２で開け閉めしない丸首シャツなどに関しても適用可能であり、面ファスナー６９が外れて、不所望に腕が露出したりすることを防止することができる。たとえば、使用者が、腕部にギブスを嵌めているような場合に好適である。
【００３２】
また注目すべきは、本実施形態の衣服１では、上述のように、破断線５が肩１５の頂部から体側３２にかけて形成されるのではなく、肩１５の上から前に垂下がる部分（生地４１）を有するので、その部分の裏側に、肩載せ部材である肩パッド７が設けられていることである。図２は、その肩パッド７を拡大して示す斜視図である。肩パッド７は、断面が円弧やくの字形（図２では円弧）に形成される本体７１が、使用者の肩１５に載るようになっている。そして、その肩パッド７を使用者の肩１５に載せた状態で頂部となる部分７２の表側には、線状の面ファスナー７３が貼付けられており、衣服１の肩１５の頂部の裏側に設けられている線状の面ファスナー７４（図１参照）と係合する。
【００３３】
したがって、この肩パッド７によって、破断されている衣服１を肩１５に載せた際、前に下がり過ぎたり、上がり（引っ張り上げ）過ぎたりするようなことなく、１人でも簡単、かつ速やかに、前後の位置合わせを行うことができる。また、シャツなど、皺の寄り易い生地でも、肩パッド７によって、上（肩）側の部分が張っており、下（胸から腹）側の部分を合せ易くなる。こうして、より着易く、また外着にもなるお洒落な衣服を実現することができる。
【００３４】
そして、肩パッド７が、面ファスナー７３，７４によって、衣服１の肩１５の頂部の裏側部分に着脱自在であることで、衣服１の洗濯や収納の際に該肩パッド７を外すことができ、嵩張らないようにすることができるとともに、使用者が、怒り肩か、なで肩か等、肩パッド７を使用者の体型に細かく合せることができる。肩パッド７は、面ファスナー７３，７４に代えて、所謂ゴム磁石のような磁石同士、或いは鉄板のような磁性体と磁石とのように、互いに磁気吸着を行う材料によって着脱自在とされてもよい。肩載せ部材は、図２の肩パッド７のように、前記断面が円弧やくの字形の連続した板に形成されるのではなく、２つの円弧やくの字形のワイヤーの中央を、直線のワイヤーで連結したようなものでもよい。
【００３５】
（実施の形態２）
図３は、本発明の実施の他の形態に係る衣服１ａの着用状態での正面図である。図１同様、使用者は省略している。この図３の構成において、図１の構成に類似し、対応する部分には同一の参照符号を付して、その説明を省略する。先ず注目すべきは、この衣服１ａでは、シャツの片側（図３では向かって右側）だけ、前記破断線５ａによる破断が行われており、反対側（図３では向かって左側）は破断されていないことである。したがって、その破断側の肩だけが上がり難い使用者が着用することで、襟元１１から、破断線５ａ（５１）より下側の胸部から腹部に掛かる部分４４の前身頃２が、全長に亘り、非常に合せ易くなり、着易くすることができる。
【００３６】
また、本実施形態の衣服１ａでは、上述のように、片側（図３では向かって左側）が破断されておらず、したがってその片側では、生地がばらけたり、捲れたりせず、通常通り、首筋から下方に垂下がる。そのため、襟元１１の下の破断線５ａ（５１）より下側部分の上部を面ファスナー６２で仮止めすると、前身頃２の下端が揃う。これに対応して、この衣服１ａでは、前記破断線５ａ（５１）より下側部分の前身頃２を、ファスナー８１によって留めている。これによって、前記の肩が動かし難い使用者でも、ファスナー８１の金具を合せて（具体的には、箱８１１に蝶棒８１３を入れて箱棒８１２と位置合わせを行い）、スライダー８１４を引き上げる操作を行い易くなる。また、前身頃２が、不所望に開き難く、すなわち脱げ難く、外着に好適な衣服を実現することができる。
【００３７】
さらにまた、本実施形態の衣服１ａでは、袖３ａが長袖で、破断線５ａの第４の部分５４ａによる破断は、袖口３１の手前迄行われ、該袖口３１は、伸縮性の素材で筒状に連結形成されている。図３の例では、第４の部分５４ａの面ファスナー６４より下の部分は、ファスナー８２で構成されている。そのファスナー８２につき、スライダー８２４の動きに支障が無いように、該第４の部分５４ａは第４の部分５４のように蛇行しておらず、前腕部を一直線に切断している。
【００３８】
このように構成することで、衣服が特に長袖の場合に、図１のように袖３の全部に破断線５を入れてしまうと、袖口３１がばらけて、面ファスナー６９でも留め難いのに対して、破断を袖口３１の手前迄とし、該袖口３１を筒状に連結形成しておくことで、前記のばらけが無くなり、破断部分（５４ａ）を係止部材であるファスナー８２で留め易くなる。また、袖口３１だけを筒状にしておくことで、上述のように、袖の通し難い使用者でも、手首を通すことができるとともに、該袖口３１に、ニット素材などの伸縮性の素材を使用することで、より手首を通し易くなる。
【００３９】
その場合、袖口３１を完全な筒状ではなく、図４の袖口３１ａで拡大して示すように、開閉可能としてもよい。図４は、袖口３１ａを背面（図３の裏面）から見た図である。詳しくは、袖口３１ａにおいて、ファスナー８２の終点は掌の中央付近となっており、これに対して、該袖口３１ａを手の甲の中央付近で切り開き、たとえば、両側から面ファスナー８３で開閉可能とする。図４の例では、袖３ａの先端部に、袖口３１ａとして縫付けられる帯状のニット素材の両端部（開閉端）に、基材８４を縫付け、その基材８４の相互に重なり合う面に、面ファスナー８３を貼付けている。面ファスナー８３に代えて、釦などが用いられてもよい。
【００４０】
このように構成することで、ファスナー８２の終点を固定して袖口３１ａをばらけ難くしつつも、該袖口３１ａの開き幅を大きくすることができ、指にギブスを嵌めた使用者などが、袖を通し易くなる。
【符号の説明】
【００４１】
１，１ａ    衣服
１１    襟元
１２    脇の下
１３    鎖骨
１４    上腕骨の付け根
１５    肩
１６    肘
１７    手首
１８    上腕二頭筋
２    前身頃
３，３ａ    袖
３１，３１ａ    袖口
３２    体側
４    胴部
４０    胸前
４１    生地
４２    外側の部分
４３    脇の下の部分
５，５ａ    破断線
５０    線
５１〜５４    第１〜第４の部分
６１〜６９    面ファースナー
７    肩パッド
７１    本体
７３，７４    面ファスナー
８１，８２    ファスナー
８３    面ファスナー
８４    基材
【図１】
2020111870.tif 000003
【図２】
2020111870.tif 000004
【図３】
2020111870.tif 000005
【図４】
2020111870.tif 000006
【図５】
2020111870.tif 000007
【図６】
2020111870.tif 000008